(57)【要約】【課題】  携帯電話の使用者が電源をオフ状態にする操作を行っても、お互いに通信を行うことができる携帯電話および制御局を提供すること。【解決手段】  移動端末は、制御局と情報の送受信を行う送受信部１５と、移動端末の使用者が移動端末の電源のオン／オフ状態を切り替えるための電源操作部と、電源操作部が操作されたときにオン／オフ状態が切り替わり、オン状態のときは送受信部１５を制御し、オフ状態のときは送受信部１５を制御しない制御部１９と、電源操作部の操作により制御部１９がオフ状態となっているときに、間欠的に制御部１９をオン状態に切り替える復帰部とを有する。【選択図】      図１
2006270296.tif 000002
【特許請求の範囲】
【請求項１】
制御局と情報通信を行う移動端末であって、
前記制御局と情報の送受信を行う送受信部と、
前記移動端末の使用者が前記移動端末の電源のオン／オフ状態を切り替えるために操作する電源操作部と、
前記電源操作部が操作された場合にオン／オフ状態が切り替わり、オン状態のときは前記送受信部に対して制御可能となり、オフ状態のときは前記送受信部に対して前記オン状態よりも制御動作が制限されるように構成された制御部と、
前記電源操作部の操作により前記制御部がオフ状態となっているときに、間欠的に前記制御部をオン状態に切り替える復帰部と、
を有することを特徴とする移動端末。
【請求項２】
測位用外部装置が送信する測位信号を受信する測位信号受信部を、さらに備え、
前記制御部は、前記復帰部によって前記オン状態に切り替わっている場合に、前記送受信部が前記制御局から送信要求情報を受信したとき、前記測位信号受信部が前記測位用外部装置から受信した前記測位信号に基づいて算出した前記移動端末の位置情報を前記送受信部から前記制御局へ送信する
ことを特徴とする請求項１に記載の移動端末。
【請求項３】
温度を測定する温度測定手段を、さらに備え、
前記制御部は、前記復帰部によって前記オン状態に切り替わっている場合に、前記送受信部が前記制御局から送信要求情報を受信したとき、前記温度測定手段が測定した温度情報を前記送受信部から前記制御局へ送信する
ことを特徴とする請求項１に記載の移動端末。
【請求項４】
前記移動端末の使用者自身あるいはその近傍に設けられ、前記使用者の身体状況あるいはその近傍の環境に関する情報を収集する外部センサからの情報信号を受信するインタフェースを、さらに備え、
前記制御部は、前記復帰部によって前記オン状態に切り替わっている場合に、前記送受信部が前記制御局から送信要求情報を受信したとき、前記インタフェースが前記外部センサから受信した前記情報信号を前記送受信部から前記制御局へ送信する
ことを特徴とする請求項１に記載の移動端末。
【請求項５】
前記制御部は、前記送受信部が前記制御局から状態変更要求情報を受信したときに、少なくとも、前記制御部のオン／オフ状態、または、前記復帰部が前記制御部を間欠的にオフ状態からオン状態に切り替えるその時間間隔のいずれかを変更する
ことを特徴とする請求項１から請求項４のいずれか１項に記載の移動端末。
【請求項６】
移動端末と情報通信を行う制御局であって、
前記移動端末に対して所定の情報の送信を要求するための送信要求情報を記憶する記憶部と、
電源がオフ状態から間欠的にオン状態となっている前記移動端末と通信を行うときに、前記記憶部に記憶されている前記送信要求情報を前記移動端末に送信する制御部と、
を有することを特徴とする制御局。
【請求項７】
移動端末と情報通信を行う制御局であって、
前記移動端末に対して、少なくとも、前記移動端末の電源のオン／オフ状態、または、前記移動端末が電源のオフ状態から間欠的にオン状態に切り替わるその時間間隔のいずれかを変更するための状態変更要求情報を記憶する記憶部と、
オフ状態から間欠的にオン状態となっている前記移動端末と通信を行うときに、前記記憶部に記憶されている前記状態変更要求情報を前記移動端末に送信する制御部と、
を有することを特徴とする制御局。
【発明の詳細な説明】
【技術分野】
【０００１】
本発明は、情報通信を行う移動端末および制御局に関する。
【背景技術】
【０００２】
近年、携帯電話などの移動端末（以下、代表して「携帯電話」という）は、世の中に広く普及し、また、その機能は多様化している。
そして、携帯電話において、たとえば、ＧＰＳ（Global Positioning System）などを利用して位置情報を取得し、センタ局（制御局）に送信する機能は、すでに公知である。また、携帯電話の位置情報を依頼者（携帯電話の利用者の家族など）に知らせるサービスも、すでに世に知られている。
【０００３】
さらに、米国では、携帯電話によって緊急通報を行う場合、自動的に位置情報も送信される仕組みが、すでに実施されている。
また、非特許文献１に示されているように、日本国内においても、同様の仕組みを取り入れる方針で、総務省などが法令を整備中である。
【０００４】
そして、この位置情報送信機能も含め、携帯電話は、地震や火災などの災害時や、誘拐や監禁などの犯罪時にも、大いに役に立つことがある。つまり、被災者や犯罪被害者（以下、「被災者など」という）は、もし、体や行動の自由が奪われた状態であっても、携帯電話を所持していれば、たとえば、警察や消防などの当局によって位置を把握してもらい、その結果、救助などをしてもらえることがある。
【０００５】
しかし、携帯電話は、電源（充電池など）の電力が消耗しきってしまうと、そのすべての機能が停止してしまう。また、被災者などは、長時間（数日間など）にわたり、体などの自由を奪われた状態を余儀なくされることも少なくない。
そして、携帯電話は、通話などを行わなくても、電源をオン状態にしているだけで、ある程度の速さで電力を消費してしまい、被災者などが使用したいときには、すでに電源電力が消耗しきってしまっていることもある。
したがって、被災者などが携帯電話を所持している場合などには、その電源電力が必要以上に早く消費しないための工夫が必要となる。
【０００６】
そこで、たとえば、特許文献１では、携帯電話において、所定時刻（たとえば１時間ごと）から任意時間（たとえば２分間ずつ）の間だけ電源をオン状態として制御局との通信を可能とすることで、電源電力の消費を抑えることができる技術が開示されている。
【特許文献１】特開２００４−８０５４０号公報（段落００２８、図３）
【非特許文献１】総務省、“携帯電話からの緊急通報における発信者位置情報通知機能に係る技術的条件の策定”、[online]、平成１６年６月３０日、[平成１７年２月４日検索]、インターネット＜ＵＲＬ：http://www.soumu.go.jp/s-news/2004/040630＿１0.html＞
【発明の開示】
【発明が解決しようとする課題】
【０００７】
しかしながら、特許文献１の技術では、携帯電話において、特定のモードのときに電源電力の節約を図ることはできるものの、電源がオフ状態になっているときには、制御局と通信することができない、という問題があった。
そこで、本発明は、前記問題点に鑑みてなされたものであり、携帯電話の使用者が電源をオフ状態にする操作を行っても、お互いに通信を行うことができる携帯電話および制御局を提供することを目的とする。
【課題を解決するための手段】
【０００８】
前記課題を解決するために、本発明は、制御局と情報通信を行う移動端末であって、前記制御局と情報の送受信を行う送受信部と、前記移動端末の使用者が前記移動端末の電源のオン／オフ状態を切り替えるために操作する電源操作部と、前記電源操作部が操作された場合にオン／オフ状態が切り替わり、オン状態のときは前記送受信部に対して制御可能となり、オフ状態のときは前記送受信部に対して前記オン状態よりも制御動作が制限されるように構成された制御部と、前記電源操作部の操作により前記制御部がオフ状態となっているときに、間欠的に前記制御部をオン状態に切り替える復帰部と、を有することを特徴とする。その他の手段については後記する。
【発明の効果】
【０００９】
本発明によれば、携帯電話の使用者が電源をオフ状態にする操作を行っても、携帯電話および制御局は、お互いに通信を行うことができる。
【発明を実施するための最良の形態】
【００１０】
本発明の実施形態に係る通信システムについて、適宜図面を参照しながら説明する。まず、図１を参照しながら、通信システムの全体構成について説明する。
図１は、通信システムの全体構成を表わすブロック図である。通信システム１０００は、携帯電話機（移動端末）１、ＧＰＳ衛星（測位用外部装置）２、無線基地局３、外部センサ４およびセンタ局（制御局）５を含めて構成される。
【００１１】
携帯電話機１は、その使用者が携帯し、通話などを行うことができる通信装置である。以下、携帯電話機１の各構成について説明する。
電源ボタン（特許請求の範囲における「電源操作部」）１０は、使用者が操作することで、携帯電話機１の電源のオン／オフを切り替えるボタンである。その他の操作ボタン１１は、電源ボタン１０以外の操作ボタンである。表示部１２は、液晶やＬＥＤなどにより表示を行うものである。音声部１３は、携帯電話機１の使用者の声を入力したり、通話相手の声、着信音、操作音などを出力したりするものである。記憶部１４は、後記する位置センサ１６、温度センサ１７、インタフェース１８などから入力した情報を記憶するものである。
【００１２】
送受信部１５は、無線基地局３と無線通信を行うものである。
位置センサ１６は、複数（通常３つまたは４つ）のＧＰＳ衛星２が送信する測位信号をそれぞれ受信するセンサである。
温度センサ１７は、携帯電話機１の中に位置し、自身の温度を測定するセンサである。温度センサ１７から得られた温度情報は、携帯電話機１が使用者の体温を感じているかどうかを知る目安として利用することができる。
インタフェース１８は、外部センサ４が送信する情報を無線または有線で受信するインタフェースである。
制御部１９は、電源ボタン１０、その他の操作ボタン１１、表示部１２、音声部１３、記憶部１４、送受信部１５、位置センサ１６、温度センサ１７およびインタフェース１８と接続され、それらを制御する。また、これら電源ボタン１０〜制御部１９は、電源部２２からの電力供給のオン／オフが一括で切り替えられるので、まとめて電源系ａと称する。
【００１３】
自動復帰部（特許請求の範囲における「復帰部」）２０は、オフ状態の制御部１９を間欠的にオン状態にするためのものであり、詳しくは後記する。また、自動復帰部２０は、電源部２２からの電力供給が他とは独立しており、電源系ｂと称する。
内部時計２１は、時間を計るもので、また、電源部２２からの電力供給が他とは独立しており、電源系ｃと称する。
電源部２２は、携帯電話機１内の各部に電力を供給するものであり、たとえば、充電池などにより実現することができる。
【００１４】
ＧＰＳ衛星２は、米国防総省が管理する衛星であり、図１では１つしか示していないが、実際には、高度約２万kmの６つの円軌道上に４つずつ配されている。
無線基地局３は、携帯電話機１と無線通信を行い、また、センタ局５と有線通信を行うことで、携帯電話機１とセンタ局５の通信の中継局の役割を果たす。
【００１５】
外部センサ４は、携帯電話機１の使用者自身あるいはその周囲の環境に関して情報を収集するためのセンサ類である。外部センサ４は、たとえば、使用者自身の状況を把握するためのものとしては、心拍数、体温、血糖値、血圧などを測るセンサがあり、また、使用者の周囲の環境を把握するためのものとしては、温度（気温・室温）、湿度、空気清浄度、酸素濃度、二酸化炭素濃度、その他のガス濃度などを測るセンサや、映像、音声、その他の通信可能情報に関する機器などがある。
そして、外部センサ４は、携帯電話機１のインタフェース１８と有線または無線で接続され、相互に通信が可能となっている。
【００１６】
センタ局５は、通信事業者などが運営する制御局であり、基地局制御装置５０、交換機５１、制御部５２および記憶部５３を含めて構成される。
基地局制御装置５０は、無線基地局３の監視制御、各携帯電話機１と交換機５１との間の発着呼制御，通話チャネルの割当てなどを行うものである。
交換機５１は、電話番号に基づいて各携帯電話機１同士の接続や切断などを行うものである。
制御部５２は、記憶部５３に記憶された情報などに基づき、基地局制御装置５０と交換機５１を制御するものであり、各種コンピュータにより実現することができる。
記憶部５３は、各種情報を記憶するもので、制御部５２の制御プログラムなどのほか、緊急フラグ情報ＤＢ５３１を有している。緊急フラグ情報ＤＢ５３１の詳細については後記する。
【００１７】
続いて、図２を参照しながら、携帯電話機１における、電源ボタン１０、制御部１９、自動復帰部２０および内部時計２１に関するより詳細な構成について、説明する。図２は、携帯電話機の構成を表わすブロック図である。
電源ボタン１０は、プッシュボタン１００を備えている。プッシュボタン１００は、使用者による押下によって接点が閉じる常開型接点開閉ボタンであり、その接点信号は入出力部１９０および２秒カウンタ１９３に送信される。
【００１８】
制御部１９は、入出力部１９０、入出力部１９１、プロセッサ１９２、２秒カウンタ１９３および立上げ部１９４を備えている。入出力部１９０および入出力部１９１は、制御部１９の外部の装置などと信号の入出力を行うものである。プロセッサ１９２は、各種演算処理を行うものである。２秒カウンタ１９３は、プッシュボタン１００の接点が２秒以上閉じられたことを検知したときに、立上げ部１９４に信号を送るものであり、以降ではその時間を２秒として記載するが、その時間は２秒に限定されるものではない。
立上げ部１９４は、信号発生器２０１（後記）あるいは２秒カウンタ１９３から信号を入力したときに、オフ状態になっているプロセッサ１９２に信号を送信して立ち上げる（オン状態にする）機能を有する。
また、プロセッサ１９２は、立上げ部１９４からの信号によりオン状態になった場合、入出力部１９０においてそのとき信号が入力されているアドレスを確認することで、立上げ部１９４に入力した信号がプッシュボタン１００からのものか信号発生器２０１からのものなのかを判別することができるが、この判別はこれに限定されるものではない。
【００１９】
自動復帰部２０は、カウントタイマ２００および信号発生器２０１を備えている。カウントタイマ２００は、入出力部１９０からの入力に基づいて、カウント値がセット（設定）され、そして、入出力部１９０からスタート信号の入力があったときには、それからカウント値に対応する時間が経過したときに、信号発生器２０１に信号を送信するものである。
なお、カウント値とは、プロセッサ１９２が休止時間に応じて算出した値である。また、休止時間とは、携帯電話機１の自動復帰部２０が間欠的に起動するその時間間隔のことであり、たとえば、緊急時は１分、通常時は２０分、非緊急時は６０分など、任意の時間に設定することができる。さらに、この休止時間は、技術レベルの推移（電源容量や電子回路の消費電力の変化など）に応じても、適宜設定変更することができる。
信号発生器２０１は、カウントタイマ２００から信号の入力があったとき、入出力部１９０および立上げ部１９４に信号を送信する。
【００２０】
内部時計２１は、クロック部２１０を備えている。クロック部２１０は、高精度で時間を計るものであり、たとえば、発振素子を利用したクロックジェネレータにより実現することができる。
また、カウントタイマ２００は、このクロック部２１０からの信号により、任意のタイミングで時間の補正を行うことができるが、独自のクロック信号を用いるようにしてもよい。
【００２１】
次に、図３を参照しながら、記憶部１４（図１参照）に記憶されるログ情報１４０について説明する。
図３は、ログ情報のデータ構成を示した図である。ログ情報１４０は、位置センサ１６が複数のＧＰＳ衛星２から受信した測位信号に基づいて制御部１９によって算出された携帯電話機１の位置情報、温度センサ１７が計測した温度情報、および、インタフェース１８が外部センサ４から受信した外部センサ情報、についての記録データであり、それぞれの情報（計測値）が１回分の情報として作成される。
また、このログ情報１４０は、ある程度古くなったものから順次削除するようにしておいてもよい。
【００２２】
ログ情報１４０において、（Ａ）は、格納される情報の計測時の内部時計時刻を表わす。（Ｂ）は、計測値が手動計測によるものか自動計測によるものかを表わす。（Ｃ）は、計測値の種類（ｅ１，ｅ２，ｅ３のいずれか）を表わす。（Ｄ）は、その計測値の計測が成功したものか否かを表わす。
そして、（Ｅ）は、ｅ１，ｅ２，ｅ３のいずれかの計測値を表わす。ｅ１は、位置情報であり、（ｅ１１）に緯度、（ｅ１２）に経度、（ｅ１３）に高度、（ｅ１４）に計測時刻、に関する情報が格納される。ｅ２は、温度情報であり、（ｅ２１）に温度に関する情報が格納される。ｅ３は、外部センサ情報であり、（ｅ３１）に情報の定義番号（外部センサ４の種類やアドレスなど）、（ｅ３２）に計測値の個数、（ｅ３３）以降にそれぞれの計測値、に関する情報が格納される。
（Ｆ）は、その他の必要な情報が格納される。（Ｇ）は、このＮ番目の情報が終わりであることを表わす。
【００２３】
次に、図４を参照しながら、緊急フラグ情報ＤＢ５３１（図１参照）に記憶される緊急フラグ関連データ５３１０について説明する。なお、緊急フラグとは、センタ局５が、間欠的にその緊急フラグを通信により確認する個別の携帯電話機１に対して、位置情報などの情報の送信を要求するときにオンにしておくフラグである。
【００２４】
図４は、緊急フラグ関連データのデータ構成を示した図である。緊急フラグ関連データ５３１０は、携帯電話機１の加入者ごとに分けて格納される。
緊急フラグ関連データ５３１０において、（Ｑ）は、加入者ごとに固有に割り当てられた加入者番号を表わす。（Ｒ）は、加入者の氏名、年令、性別などのほか、外部センサ４の情報の定義番号ｅ３１（図３参照）なども含む。
【００２５】
（Ｓ）は、緊急フラグを２値で表わしたものであり、個別の携帯電話機１に対して、位置情報などの情報の送信を要求しない通常時にはオフ状態にしておき、位置情報などの情報の送信を要求するときにはオン状態（特許請求の範囲の送信要求情報に相当）にしておく。
（ｓ’）は、（Ｓ）緊急フラグがオン状態のとき、携帯電話機１に対して、同時に、あるいはその次の送信時に、送信されるものであり、受信した携帯電話機１は、（ア）〜（コ）の内容に基づいてセンタ局５への情報送信や自身の制御を行う。
【００２６】
以下、（ｓ’）属性情報の各項目について説明する。（ア）では、位置情報の送信（通知）を行うか否かを２択で指定する。（イ）では、温度情報の送信（通知）を行うか否かを２択で指定する。（ウ）では、外部センサ４から得た情報の送信（通知）を行うか否かを２択で指定する。（エ）では、記憶部１４（図１参照）に記憶されているログ情報１４０（図３参照）における、どの種類の計測値を、どの時間帯に関して送信（通知）するのか、あるいはまったく送信（通知）しないのかなどを指定する。（オ）では、電源に関し、オンにする、オフにする、変更しない、の３択で指定する。
【００２７】
（カ）では、操作音をオフにするか否かを２択で指定する。（キ）では、着信音の大きさを相対値（携帯電話機１の音環境によって変動する値）あるいは絶対値で指定する。（ク）では、通話音の大きさを相対値（携帯電話機１の音環境によって変動する値）あるいは絶対値で指定する。（ケ）では、通話状態に関し、オンにする、オフにする、変更しない、の３択で指定する。（コ）では、休止時間、つまり、自動復帰部２０によって電源オフ状態から一時的に電源オン状態となり、センタ局５の緊急フラグを確認するその時間間隔を、所定時間に変更する、規定値に戻す、変更しない、などと指定する。
【００２８】
続いて、図５を参照しながら、携帯電話機１の動作モードの切り替えについて説明する。図５は、携帯電話機の動作モードの切り替えを示す図である。
携帯電話機１には、本発明の特徴である「見かけ上の電源オフを行うモード４１（間欠的にセンタ局５の緊急フラグを確認するモード）」と「従来の電源オフを行うモード４４（センタ局５の緊急フラグを確認しないモード）」の２つのモードが存在する。
【００２９】
そして、それらのモードの切り替えは、悪意ある者によって簡単に変えられては困るなど、重要な意味を持つので、たとえば、表示部１２（図１参照）の画面案内に従い、その他の操作ボタン１１（図１参照）でパスワードを入力することにより行うなど、正規の使用者のみが行うことができるようにしておくのが望ましい。
なお、従来の電源オフを行うモード４４では、従来の電源オフ状態４５および従来の電源オン状態４６のいずれにおいても、携帯電話機１は、センタ局５の緊急フラグを確認する動作を行わず、従来の携帯電話機として動作する。したがって、使用者は、病院や飛行機内など電波の送受信を控えるべき場所にいるときなどに、この従来の電源オフを行うモード４４を使用すればよい。
【００３０】
また、見かけ上の電源オフを行うモード４１における見かけ上の電源オフ状態４２と電源オン状態４３の切り替えや、従来の電源オフを行うモード４４における従来の電源オフ状態４５と従来の電源オン状態４６の切り替えは、たとえば、電源ボタン１０(図１参照)を長押し（２秒間の押下など）することによりその都度切り替わる、いわゆるトグル動作によって行う。
【００３１】
次に、図６を参照しながら、図５の各状態における各構成の通電状況を説明する（適宜図１参照）。図６は、各状態における各構成の通電状況を表わしたマトリックス図である。
見かけ上の電源オフ状態４２のとき、電源系ａは通常時は通電がないが自動復帰部２０からの信号により間欠的に通電され、また、電源系ｂと電源系ｃは通電がある。このとき、携帯電話機１は、通常時は携帯電話機としての機能を停止しているが、間欠的にセンタ局５の緊急フラグを確認する動作を行う。なお、見かけ上の電源オフ状態４２は、このような状態に限定されるものではなく、制御部１９（図１参照）による送受信部１５（図１参照）の制御動作が電源オン状態４３のときよりも制限される状態であればよい。
電源オン状態４３のとき、電源系ａ、電源系ｂおよび電源系ｃは、通電がある。このとき、携帯電話機１は、電話をかけることが可能となり、電話をかけていないときは着信待ち受け状態を維持し、さらに、間欠的にセンタ局５の緊急フラグを確認する動作を行う。
【００３２】
従来の電源オフ状態４５のとき、電源系ａおよび電源系ｂは通電がなく、電源系ｃは通電がある。このとき、携帯電話機１は、内部時計以外の部分は動作せず、次に従来の電源オン状態４６になるまで携帯電話機としての機能を停止する。
従来の電源オン状態４６のとき、電源系ａおよび電源系ｃは通電があり、電源系ｂは通電がない。このとき、携帯電話機１は、電話をかけることが可能となり、電話をかけていないときは着信待ち受け状態を維持する。なお、電源系ｂは、通電があるが機能しないものとしてもよい。
【００３３】
通信システム１０００（図１参照）に関して、以上で各構成の説明を終わり、続いて動作について説明する。
まず、図７を参照しながら、携帯電話機１において、電源オン状態４３から見かけ上の電源オフ状態４２に移行するときの処理について説明する（適宜図２参照）。図７は、そのときの携帯電話機の処理を示すフローチャートである。
【００３４】
初めに、携帯電話機１は電源オン状態４３となっており（ステップＳ７０）、プロセッサ１９２は、入出力部１９０あるいは図示していない信号線を介して、電源ボタン１０が押されたか否かを判定する（ステップＳ７１）。電源ボタン１０が押された場合（ステップＳ７１でＹｅｓ）、プロセッサ１９２は、入出力部１９０あるいは図示していない信号線を介して、電源ボタン１０が押されたまま２秒間が経過したか否かを判定する（ステップＳ７２）。
電源ボタン１０が押されたまま２秒間経過した場合（ステップＳ７２でＹｅｓ）、プロセッサ１９２は、入出力部１９０を介してカウントタイマ２００にカウント値（休止時間に対応：たとえば２０分）を設定する（ステップＳ７３）。
【００３５】
そして、カウントタイマ２００はカウント動作を開始し（ステップＳ７４）、プロセッサ１９２は、電源系ａの電源をオフとし（ステップＳ７５）、携帯電話機１は見かけ上の電源オフ状態４２となる（ステップＳ７６）。
このように、携帯電話機１の使用者は、見かけ上の電源オフを行うモード４１において、電源ボタン１０を２秒間押下するという従来の電源オフ操作により、携帯電話機１を電源オン状態４３から見かけ上の電源オフ状態４２に切り替えることができる。
【００３６】
次に、図８を参照しながら、携帯電話機１における見かけ上の電源オフ状態４２の場合の動作について説明する（適宜図１、図２参照）。図８は、その場合の携帯電話機の処理を表わすフローチャートである。
【００３７】
まず、携帯電話機１は見かけ上の電源オフ状態４２となっており（ステップＳ８０）、カウントタイマ２００は、その動作開始から休止時間（図７のステップＳ７３のカウント値に対応）が経過したか否かを判定する（ステップＳ８１）。休止時間が経過したとき（ステップＳ８１でＹｅｓ）、カウントタイマ２００は信号発生器２０１に信号を送信し、それを受けて信号発生器２０１は入出力部１９０（制御部１９）に信号を送信する（ステップＳ８２）。
【００３８】
そして、信号発生器２０１（自動復帰部２０）が送信した信号により、電源系ａが起動する（ステップＳ８３）。
電源系ａが起動した（ステップＳ８３）後、プロセッサ１９２は、入出力部１９１、送受信部１５および無線基地局３を介してセンタ局５にアクセスし、記憶部５３の緊急フラグ情報ＤＢ５３１において自己の（Ｑ）加入者番号に対応する緊急フラグ関連データ５３１０の（Ｓ）緊急フラグの値を取得する（ステップＳ８４）。
【００３９】
続いて、プロセッサ１９２は、取得した緊急フラグの値がオフか否かを確認し（ステップＳ８５）、オンであれば（Ｎｏ）、（ｉ）（図９）へ進む。
緊急フラグの値がオフである場合（ステップＳ８５でＹｅｓ）、プロセッサ１９２は、入出力部１９０を介して、カウントタイマ２００のカウント値を再び休止時間に対応する値に設定する（ステップＳ８６）。
そして、カウントタイマ２００はカウント動作を開始し（ステップＳ８７）、プロセッサ１９２は電源系ａの電源、つまり、制御部１９などの電源をオフにする（ステップＳ８８）。
【００４０】
このように、使用者が携帯電話機１の電源をオフにする操作を行った後でも、携帯電話機１は、間欠的（カウント値に対応する時間ごと）にセンタ局５に対して緊急フラグの有無を確認する動作を行うことができる。そして、緊急フラグがオフである場合は、携帯電話機１に対してセンタ局５側から緊急の用件がないということであるので、携帯電話機１は、その後も、この間欠的な緊急フラグ確認動作を繰り返す。
【００４１】
次に、図９を参照しながら、携帯電話機１において、見かけ上の電源オフ状態４２の場合に、センタ局５の緊急フラグがオンだったときの動作について説明する（適宜図１参照）。図９は、その場合の携帯電話機の処理を表わすフローチャートである。
【００４２】
まず、携帯電話機１において、見かけ上の電源オフ状態４２の場合に、自動復帰部２０からの信号により電源系ａが起動して、その後にプロセッサ１９２が取得したセンタ局５の緊急フラグの値がオンだったとき（ステップＳ９００）、つまり、それは、携帯電話機１に対してセンタ局５側から緊急の用件があるということであるので、プロセッサ１９２は、記憶部１４における位置情報であるｅ１（図３参照）のうち最新のものをセンタ局５に送信する（ステップＳ９０１）。
これにより、センタ局５では、携帯電話機１の所在地をある程度把握することができる。
【００４３】
そして、プロセッサ１９２は、センタ局５の記憶部５３（図４参照）における緊急フラグ情報ＤＢ５３１（図４参照）の緊急フラグ関連データ５３１０（図４参照）から、緊急フラグの（ｓ’）属性情報を取得し、記憶部１４に格納する（ステップＳ９０２）。
【００４４】
そして、プロセッサ１９２は、（ｓ’）属性情報の（ア）において位置情報通知がオンであるか否かを判定し（ステップＳ９０３）、位置情報通知がオンであれば（Ｙｅｓ）、最新の位置情報（図３のｅ１）をセンタ局５に送信し（ステップＳ９０４）、位置情報通知がオンでなければ（Ｎｏ）、ステップＳ９０４をスキップする。
携帯電話機１は、ステップＳ９０１でも位置情報をセンタ局５に送信しているが、必要に応じてこのステップＳ９０４でもさらに最新の位置情報を送信することで、センタ局５では携帯電話機１のより正確な位置情報を把握することができる。
【００４５】
続いて、プロセッサ１９２は、（ｓ’）属性情報の（イ）において温度情報通知がオンであるか否かを判定し（ステップＳ９０５）、温度情報通知がオンであれば（Ｙｅｓ）、最新の温度情報（図３のｅ２）をセンタ局５に送信し（ステップＳ９０６）、温度情報通知がオンでなければ（Ｎｏ）、ステップＳ９０６をスキップする。
これにより、センタ局５では、必要に応じて、携帯電話機１の温度情報を入手することができ、携帯電話機１が使用者の体温を感じているか否かを知る目安とすることができる。
【００４６】
次に、プロセッサ１９２は、（ｓ’）属性情報の（ウ）において外部センサ情報通知がオンであるか否かを判定し（ステップＳ９０７）、外部センサ情報通知がオンであれば（Ｙｅｓ）、最新の外部センサ情報（図３のｅ３）をセンタ局５に送信し（ステップＳ９０８）、外部センサ情報通知がオンでなければ（Ｎｏ）、ステップＳ９０８をスキップする。
これにより、センタ局５では、必要に応じて、外部センサ４に関する情報を入手することができ、使用者やその環境についての判断材料とすることができる。
【００４７】
続いて、プロセッサ１９２は、（ｓ’）属性情報の（エ）において情報ログ通知がオンであるか否かを判定し（ステップＳ９０９）、情報ログ通知がオンであれば（Ｙｅｓ）、情報ログ（図３のＥ）をセンタ局５に送信し（ステップＳ９１０）、情報ログ通知がオンでなければ（Ｎｏ）、ステップＳ９１０をスキップする。
これにより、センタ局５では、位置情報、温度情報および外部センサ情報に関し、最新の情報だけでなく、必要に応じて過去の情報も入手することができる。また、センタ局５は、携帯電話機１に関するそれぞれの時刻に対応した位置情報に基づいて、携帯電話機１の移動速度を算出することもできる。
【００４８】
次に、プロセッサ１９２は、（ｓ’）属性情報の（オ）〜（コ）において設定変更の指示があるか否かを判定し（ステップＳ９１１）、設定変更の指示があれば（Ｙｅｓ）、指示値に従って設定を変更し（ステップＳ９１２）、設定変更の指示がなければ（Ｎｏ）、ステップＳ９１２をスキップする。
これにより、携帯電話機１に関して、次のような効果を奏する（図４参照）。
【００４９】
（オ）によって、センタ局５がこれから頻繁に携帯電話機１と通信を行う必要がある場合には電源をオンにし、また、そういった必要がない場合には電源をオフにして不要な電力消費を回避するなど、電源の状態を適切に設定することができる。
（カ）によって、たとえば、携帯電話機１の使用者が誘拐や監禁などの犯罪の被害者になっている場合に、犯人を刺激しないように操作音をオフにすることができる。
（キ）によって、着信音を、使用者にとって聞きやすい音量や、あるいは、犯罪の場合は犯人を刺激しないようにゼロに、設定することができる。
【００５０】
（ク）によって、通話音を、使用者にとって聞きとりやすい音量に設定することができる。
（ケ）によって、たとえば、使用者が負傷して携帯電話機１を操作できない場合に、センタ局５が、携帯電話機１の通話状態をオンにすることで、使用者がセンタ局５の人員と通話したり、センタ局５の人員が意識のない使用者に呼びかけたりすることができ、また、通話が終わったときは携帯電話機１の通話状態をオフにすることができる。
さらに、通話状態をオンにする場合には、携帯電話機1を、使用者が携帯電話機1自体に耳や口をあまり近づけなくても話ができる、いわゆるハンズフリー機能にするようにしてもよい。
（コ）によって、たとえば、見かけ上の電源オフ状態４２の携帯電話機１がセンタ局５の緊急フラグを確認する時間間隔（休止時間）を、移動している使用者の軌跡を詳しく知りたい場合は短く、使用者に関する情報が特に必要ない場合は長くなど、自由に設定することができる。また、この休止時間の設定は、携帯電話機１の使用者の近くに犯人がいる場合でも、その加害者に気付かれずに行うことができる。
【００５１】
図９のフローチャートに戻って、プロセッサ１９２は、（オ）によって電源がオフに設定されているか否かを判定し（ステップＳ９１３）、電源がオフに設定されていなければ（Ｎｏ）、携帯電話機１は電源オン状態４３になる（Ｓ９１４：図７あるいは図１１のフローチャートに続く）。
電源がオフに設定されていれば（ステップＳ９１３でＹｅｓ）、プロセッサ１９２は、カウントタイマ２００のカウント値を再び休止時間に対応する値に設定する（ステップＳ９１５）。
【００５２】
そして、カウントタイマ２００はカウント動作を開始し（ステップＳ９１６）、プロセッサ１９２は電源系ａの電源をオフにして（ステップＳ９１７）、携帯電話機１は見かけ上の電源オフ状態４２となる（ステップＳ９１８）。
【００５３】
このように、使用者が携帯電話機１の電源をオフにする操作を行った後も、携帯電話機１は、間欠的にセンタ局５に対して緊急フラグの有無を確認する。そして、緊急フラグがオンであると、センタ局５は、携帯電話機１から位置情報、温度情報および外部センサ情報などを必要に応じて取得することができ、また、携帯電話機１の電源オン／オフ、操作音、着信音、通話音、通話オン／オフおよび休止時間に関して適切な設定を行うことができる。
そして、センタ局５は、警察や消防などの当局に対し、必要な情報を提供することができる。また、センタ局５は、警察や消防などの当局からの要望に応じた情報を収集するように、緊急フラグ関連データ５３１０（図４参照）の（ｓ’）属性情報を設定することができる。
【００５４】
次に、図１０を参照しながら、携帯電話機１が、見かけ上の電源オフ状態４２から電源オン状態４３に移行する場合について説明する（適宜図２参照）。図１０は、その場合の携帯電話機の処理を表わすフローチャートである。
まず、携帯電話機１は、見かけ上の電源オフ状態４２であり（ステップＳ１００）、電源ボタン１０が押されると、制御部１９は一時的に起動する（ステップＳ１０１）。
【００５５】
そして、２秒カウンタ１９３は、電源ボタン１０が押されたまま２秒間が経過したか否かを判定し（ステップＳ１０２）、２秒間が経過しなければ（Ｎｏ）、制御部１９はオフ状態に戻り（ステップＳ１０３）、携帯電話機１は見かけ上の電源オフ状態４２のまま変わらない（ステップＳ１０４）。
電源ボタン１０が押されたまま２秒間が経過した場合（ステップＳ１０２でＹｅｓ）、２秒カウンタ１９３から立上げ部１９４を介してプロセッサ１９２に信号が入力され、電源系ａが立ち上がり、携帯電話機１は電源オン状態４３となる（ステップＳ１０５）。
【００５６】
このように、携帯電話機１の使用者は、見かけ上の電源オフ状態４２において、電源ボタン１０を２秒間押下するという従来の電源オン操作により、携帯電話機１を電源オン状態４３に切り替えることができる。
【００５７】
次に、図１１を参照しながら、携帯電話機１において、電源オン状態４３の場合の動作について説明する（適宜図２参照）。図１１は、その場合の携帯電話機の処理を表わすフローチャートである。
まず、携帯電話機１は電源オン状態４３となっており（ステップＳ１１０）、着信、および、操作ボタン（電源ボタン１０、その他の操作ボタン１１）による操作の待ち受け状態となっている（ステップＳ１１１）。
そして、カウントタイマ２００は、その動作開始から休止時間が経過したか否かを判定し（ステップＳ１１２）、休止時間が経過したとき（Ｙｅｓ）、プロセッサ１９２は、センタ局５にアクセスし、記憶部５３（図４参照）の緊急フラグ情報ＤＢ５３１（図４参照）において自己の（Ｑ）加入者番号に対応する緊急フラグ関連データ５３１０（図４参照）の（Ｓ）緊急フラグの値を取得する（ステップＳ１１３）。
【００５８】
続いて、プロセッサ１９２は、取得した緊急フラグの値がオフか否かを確認し（ステップＳ１１４）、オフでなければ（Ｎｏ）、（ii）（図１２）へ進む。
緊急フラグの値がオフであるとき（ステップＳ１１４でＹｅｓ）、プロセッサ１９２は、カウントタイマ２００のカウント値を再び休止時間に対応する値に設定する（ステップＳ１１５）。
そして、カウントタイマ２００はカウント動作を開始し（ステップＳ１１６）、ステップＳ１１１へ戻る。
【００５９】
このように、使用者が携帯電話機１の電源をオンにしているときでも、携帯電話機１は、間欠的（カウント値に対応する時間ごと）にセンタ局５に対して緊急フラグの有無を確認する動作を行うことができる。
【００６０】
次に、図１２を参照しながら、携帯電話機１において、電源オン状態４３の場合に、センタ局５の緊急フラグがオンのときの動作について説明する（適宜図２参照）。図１２は、その場合の携帯電話機の処理を表わすフローチャートである。
【００６１】
まず、携帯電話機１は、電源オン状態４３の場合に、カウントタイマ２００の動作開始から休止時間が経過し、プロセッサ１９２が取得したセンタ局５の緊急フラグの値がオンだったとき（ステップＳ１２００）、ステップＳ１２０１〜ステップＳ１２１６の動作を行うが、そのうちステップＳ１２０１〜ステップＳ１２１２は、図９のフローチャートのステップＳ９０１〜ステップＳ９１２の動作と同様であるので、説明を省略する。
【００６２】
ステップＳ１２１２の後、プロセッサ１９２は、（オ）（図４参照）によって電源がオンに設定されているか否かを判定し（ステップＳ１２１３）、電源がオンに設定されていなければ（Ｎｏ）、携帯電話機１は見かけ上の電源オフ状態４２になる（Ｓ１２１４：図８あるいは図１０のフローチャートに続く）。
電源がオンに設定されていれば（ステップＳ１２１３でＹｅｓ）、プロセッサ１９２は、カウントタイマ２００のカウント値を再び休止時間に対応する値に設定する（ステップＳ１２１５）。
そして、カウントタイマ２００はカウント動作を開始し（ステップＳ１２１６）、携帯電話機１はその後も電源オン状態４３を維持する（ステップＳ１２１７）。
【００６３】
このように、使用者が携帯電話機１の電源をオンにしているときでも、携帯電話機１は、間欠的にセンタ局５に対して緊急フラグの有無を確認する。そして、緊急フラグがオンであったとき、センタ局５は、携帯電話機１から位置情報、温度情報および外部センサ情報などを必要に応じて取得することができ、また、携帯電話機１の電源オン／オフ、操作音、着信音、通話音、通話オン／オフおよび休止時間に関して適切な設定を行うことができる。
【００６４】
なお、本実施形態では、緊急フラグなどを、センタ局５の記憶部５３（図４参照）の緊急フラグ情報ＤＢ５３１（図４参照）において記憶するものとしたが、基地局制御装置５０や無線基地局３において記憶するものとしてもよい。つまり、本実施形態において、センタ局５が特許請求の範囲の制御局に該当するとしたが、広義には、センタ局５および無線基地局３が特許請求の範囲の制御局に該当するのである。
また、センタ局５や無線基地局３は、車載などによる移動型のものであってもよい。
【００６５】
以上で実施形態の説明を終えるが、本発明の態様はこれらに限定されるものではない。
たとえば、移動端末は、携帯電話機でなくても、ＰＨＳ（Personal Handyphone System）やＰＤＡ（Personal Digital Assistance：携帯情報端末）などであってもよい。
また、測位用外部装置は、ＧＰＳ衛星に限らず、擬似衛星（ＧＰＳの信号形式を利用してＧＰＳの補完・補強信号を発信する地上配信設備など）や、準天頂衛星システム（サービスエリアの天頂付近に常に少なくとも１機の衛星を配置するシステム）、室内測位システム（たとえば、日立製作所の無線ＬＡＮ位置情報システム「ＡｉｒＬｏｃａｔｉｏｎ（登録商標）」）などで使用する装置であってもよい。
【００６６】
さらに、緊急フラグは、オン／オフの２値でなくても、移動端末に対する送信要求や指示に関する情報のフラグが複数あり、そこにオフのフラグも付加した構成としてもよい。
また、ハンズフリー機能のほかにも、移動端末の各種機能を取り入れ、制御局側から移動端末を制御するようにしてもよい。
さらに、自動復帰部によって間欠的に制御部がオン状態に切り替わるその時間間隔は、一定でなくても、たとえば、時間帯（朝・昼・夜）ごとに異なるなど、一定でなくてもよい。
その他、具体的な構成について、本発明の趣旨を逸脱しない範囲で適宜変更が可能である。
【図面の簡単な説明】
【００６７】
【図１】通信システムの全体構成を表わすブロック図である。
【図２】携帯電話機の構成を表わすブロック図である。
【図３】ログ情報のデータ構成を示した図である。
【図４】緊急フラグ関連データのデータ構成を示した図である。
【図５】携帯電話機の動作モードの切り替えを示す図である。
【図６】各構成の各状態における通電状況を表わしたマトリックス図である。
【図７】携帯電話機において、電源オン状態から見かけ上の電源オフ状態に移行する場合の処理を示すフローチャートである。
【図８】見かけ上の電源オフ状態の場合における携帯電話機の処理を表わすフローチャートである。
【図９】見かけ上の電源オフ状態の場合に、センタ局の緊急フラグがオンだったときの携帯電話機の処理を表わすフローチャートである。
【図１０】見かけ上の電源オフ状態から電源オン状態に移行する場合の携帯電話機の処理を表わすフローチャートである。
【図１１】電源オン状態の場合における携帯電話機の処理を表わすフローチャートである。
【図１２】電源オン状態の場合に、センタ局の緊急フラグがオンのときの携帯電話機の処理を表わすフローチャートである。
【符号の説明】
【００６８】
１      携帯電話機
２      ＧＰＳ衛星
３      無線基地局
４      外部センサ
５      センタ局
１０    電源ボタン
１５    送受信部
１６    位置センサ
１７    温度センサ
１８    インタフェース
１９    制御部
２０    自動復帰部
５２    制御部
５３    記憶部
【図１】
2006270296.tif 000003
【図２】
2006270296.tif 000004
【図３】
2006270296.tif 000005
【図４】
2006270296.tif 000006
【図５】
2006270296.tif 000007
【図６】
2006270296.tif 000008
【図７】
2006270296.tif 000009
【図８】
2006270296.tif 000010
【図９】
2006270296.tif 000011
【図１０】
2006270296.tif 000012
【図１１】
2006270296.tif 000013
【図１２】
2006270296.tif 000014